(57)【要約】【課題】遊技機の灰皿を不使用状態としても、遊技機の意匠性が低下するのを防止し、かつ、不使用状態の灰皿を遊技者が使用状態とするいたずらを防止する。【解決手段】パチンコ遊技機１は、灰皿７と、灰皿７を間に挟んだ状態で灰皿７を回転自在に支持する一対の支持部材とを備える。灰皿７の左右には軸受部２５が設けられ、支持部材から突出する軸部が挿入されている。灰皿７の一方の側面には、軸受部２５を中心とする円弧状の回転規制長穴２７が形成されるとともに、一方の支持部材から出没自在なＬ字ピン３０が挿入されている。これにより、灰皿７を使用位置から廃棄位置までの範囲で回転可能としている。また、回転規制長穴２７の円弧の延長線状で、軸受部２５の真上に回転不可穴２８が設けられ、この回転不可穴２８にＬ字ピン３０を挿入すると、灰皿が上下逆さの不使用位置に固定される。【選択図】図４
2008136708.tif 000002
【特許請求の範囲】
【請求項１】
内部空間に連通した開口部を有する容器状の灰皿と、
遊技機本体前面に設けられ、前記灰皿を前側に臨む灰皿取付部と、
前記灰皿取付部の左右からそれぞれ前方に延出し、前記灰皿を間に挟んだ状態で前記灰皿を支持する一対の支持部材とを備え、
一対の前記支持部材は、前記灰皿を、前記開口部を上に向けた使用位置と、前記開口部を斜め下に向けた廃棄位置との間で、前記遊技機本体前面に沿って水平な回転軸周りに回転自在に支持している遊技機において、
一対の前記支持部材のそれぞれに、当該支持部材の互いに対向する内側面から灰皿側に突出する軸部が設けられ、
前記灰皿の左右外側面のそれぞれに、前記軸部が挿入されて軸受となる軸受穴が設けられ、
前記灰皿の左右外側面のうちの少なくとも一方の側面には、前記軸受穴を中心とする円弧状の回転規制長穴と、当該回転規制長穴の円弧の延長線上に配置される回転不可穴とが設けられ、
前記支持部材に、前記回転規制長穴および前記回転不可穴とのうちの一方に挿入されるピンが、前記灰皿に向かって出没自在に設けられ、
前記回転規制長穴は、前記ピンが挿入されることで、前記灰皿の回転範囲を前記使用位置と前記廃棄位置との間に規制し、
前記回転不可穴は、前記ピンが挿入されることで、前記灰皿を前記開口部が下を向いた不使用位置に回転不可に固定することを特徴とする遊技機。
【請求項２】
前記灰皿は、容器状の灰皿本体と、前記灰皿本体の少なくとも左右側面の一部を覆うカバー部材とからなり、
前記カバー部材と灰皿本体とのうちの少なくとも一方には、前記灰皿本体に前記カバー部材を取り付けることで、前記軸受穴を形成する切欠部が設けられ、
前記灰皿を前記使用位置から前記廃棄位置側に向けて回転した際に、前記灰皿の前記外側面の前記支持部材から露出する位置に、前記灰皿本体と前記カバー部材を接合するためのビス孔が形成されていることを特徴とする請求項１に記載の遊技機。
【請求項３】
前記ピンを前記支持部材から前記灰皿側に向かって付勢する付勢手段を備え、
前記回転規制長穴および回転不可穴とのうちの一方に挿入される前記ピンの先端部は、前記回転規制長穴の幅および前記回転不可穴の径より短い径から長い径まで、先端から後方に向かうにつれて径が拡大するように略円錐状に形成されていることを特徴とする請求項１または２に記載の遊技機。
【発明の詳細な説明】
【技術分野】
【０００１】
本発明は、パチンコ店などの遊技場に設置して使用される遊技機に関するものである。
【背景技術】
【０００２】
一般に、パチンコ遊技機やパチスロ等の各種遊技機には、その前面の下部に灰皿が設けられている。この灰皿は、遊技機に対して簡単に取り外れないように取り付けられているため、灰皿に溜まった灰を廃棄できるように、遊技機前面に沿うとともに水平な軸周りに回転可能とされている。また、使用時に不用意に灰皿が回転してしまうのを防止するために、大きな外力を加えないと灰皿が回転開始しないように、灰皿に、遊技機側に着脱可能に係合する仮係合部が形成されている。
【０００３】
ここで、遊技機に取り付けられた灰皿を遊技機から簡単に取り外せないことから、清掃等を遊技機側で行う必要があり、簡単に水洗い等ができない。そこで、上述のような遊技機が設置された遊技店では、遊技機が設置される島設備にタバコの灰を自動的に廃棄可能な灰皿の設備を設けたり、島設備の遊技機が設置された台部分に、一般的な灰皿を置いて、灰皿ごとタバコの灰を台から除去可能としたりする場合がある。
また、遊技店において、少なくともその一部を禁煙とすることも行われている。
【０００４】
上述のような場合に、遊技機に設けられた灰皿を遊技者に使用されると困ることから、遊技店側で灰皿に板状の蓋を設置していた。
また、遊技機に設けられた灰皿を使用状態から回転して裏返した不使用状態で固定可能とすることで、灰皿に蓋をしなくても、灰皿を使用不能とすることが提案されている（例えば、特許文献１参照）。
【０００５】
【特許文献１】特開平１１−１９２３６３号公報
【発明の開示】
【発明が解決しようとする課題】
【０００６】
ところで、特許文献１に示されるように、灰皿を使用状態に安定させるために、遊技機本体側に係合するように灰皿に形成された係合部が、灰皿を不使用状態とした際に遊技者側に露出してしまい、灰皿を不使用状態とした場合に遊技機の見栄えが悪くなる原因となっていた。
すなわち、灰皿を回転して裏返す際に、使用状態では、遊技機側を向いている背面が回転により前方が向くことになり、普段遊技者に見えない灰皿の背面が遊技者に見えることで、デザイン的に好ましくない状態となる可能性がある。また、灰皿の背面以外に灰皿の下面も遊技者に露出することになり、灰皿の下面に意匠上好ましくないような部材があると、やはり見栄えが悪くなってしまう。
【０００７】
また、不使用状態となっている灰皿を遊技者側、すなわち、遊技機の前面側から使用状態に変換できる場合に、遊技者が不使用状態の灰皿を使用状態にしてしまう可能性がある。
この場合に、不使用状態から使用状態にした遊技者や、他の遊技者が遊技店側では使用して欲しくない遊技機の灰皿にタバコの灰やゴミを捨てる可能性があり、遊技店側では、灰やゴミを捨てる手間が増えてしまう。
【０００８】
本発明は、上記事情に鑑みて為されたもので、灰皿を不使用状態としても、遊技機の意匠性が低下するのを防止しつつ、不使用状態の灰皿を遊技者が使用状態とすることを防止することを目的とする。
【課題を解決するための手段】
【０００９】
請求項1に記載の発明は、内部空間に連通した開口部を有する容器状の灰皿と、
遊技機本体前面に設けられ、前記灰皿を前側に臨む灰皿取付部と、
前記灰皿取付部の左右からそれぞれ前方に延出し、前記灰皿を間に挟んだ状態で前記灰皿を支持する一対の支持部材とを備え、
一対の前記支持部材は、前記灰皿を、前記開口部を上に向けた使用位置と、前記開口部を斜め下に向けた廃棄位置との間で、前記遊技機本体前面に沿って水平な回転軸周りに回転自在に支持している遊技機において、
一対の前記支持部材のそれぞれに、当該支持部材の互いに対向する内側面から灰皿側に突出する軸部が設けられ、
前記灰皿の左右外側面のそれぞれに、前記軸部が挿入されて軸受となる軸受穴が設けられ、
前記灰皿の左右外側面のうちの少なくとも一方の側面には、前記軸受穴を中心とする円弧状の回転規制長穴と、当該回転規制長穴の円弧の延長線上に配置される回転不可穴とが設けられ、
前記支持部材に、前記回転規制長穴および前記回転不可穴とのうちの一方に挿入されるピンが、前記灰皿に向かって出没自在に設けられ、
前記回転規制長穴は、前記ピンが挿入されることで、前記灰皿の回転範囲を前記使用位置と前記廃棄位置との間に規制し、
前記回転不可穴は、前記ピンが挿入されることで、前記灰皿を前記開口部が下を向いた不使用位置に回転不可に固定することを特徴とする。
【００１０】
請求項１記載の発明によれば、ピンが回転規制長穴に挿入された状態では、灰皿は支持部材の軸部を中心として、使用位置と廃棄位置との間で回転自在となる。従って、通常灰皿を使用位置で使い、灰皿内の灰等を捨てる際に廃棄位置に灰皿を回転移動させることになる。
また、ピンを回転規制長穴から抜いて、開口部を下に向けて灰皿を裏返した状態とし、ピンを回転不可穴に挿入することで、灰皿が下向いた状態で回転不可となって灰皿を使用することが不可能な不使用位置に固定することができる。
【００１１】
ピンを灰皿が使用可能な際の回転規制と、灰皿が使用不可の場合の回転阻止との両方に用いることでコストの低減を図ることができる。
また、ピンは、支持部材から灰皿に突出しており、ピンの操作を遊技機の前面側で行うようにすることは困難であり、支持部材の裏面側で行うことで、ピンを容易に操作可能となる。すなわち、ピンの出没の操作を遊技機の前面を構成する部材の裏面で行う必要があり、この場合に、遊技機の前面のカバー等を開放しないと、ピンの出没ができないことになり、遊技者が不使用状態の灰皿を使用状態とすること、あるいは、その逆にすることは極めて困難となる。
したがって、不使用状態の灰皿が使用状態とされて、タバコの灰等が入れられることにより、遊技店側の手間が増えてしまうのを防止することができる。
【００１２】
また、灰皿の回転を規制（回転不可を含む）するための構造が灰皿の支持部材と重なる外側面に設けられているので、灰皿を裏返して不使用状態とした際に、灰皿の裏面や下面と異なり、遊技者に視認可能に露出することがなく、不使用状態の灰皿の意匠性が低下するのを防止することができる。
【００１３】
請求項２に記載の発明は、請求項１に記載の遊技機において、
前記灰皿は、容器状の灰皿本体と、前記灰皿本体の少なくとも左右側面の一部を覆うカバー部材とからなり、
前記カバー部材と灰皿本体とのうちの少なくとも一方には、前記灰皿本体に前記カバー部材を取り付けることで、前記軸受穴を形成する切欠部が設けられ、
前記灰皿を前記使用位置から前記廃棄位置側に向けて回転した際に、前記灰皿の前記外側面の前記支持部材から露出する位置に、前記灰皿本体と前記カバー部材を接合するためのビス孔が形成されていることを特徴とする。
【００１４】
請求項２記載の発明によれば、支持部材の軸部を灰皿の軸受穴に挿入する際に、左右の支持部材から互いに対向して突出する軸部間の幅が灰皿の左右幅より短くなり、灰皿の軸受穴に軸部を挿入することができないが、灰皿を遊技機本体に取り付ける際に、灰皿本体にカバー部材を取り付けるようにし、灰皿本体とカバー部材とで軸部を挟み込むようにするとともに、灰皿本体とカバー部材との少なくとも一方の軸部が挟まれる部分に、灰皿本体にカバー部材を取り付けることで軸受穴となる切欠部を形成しておけば、支持部材に灰皿を容易に回転自在に取り付けることができる。
しかし、遊技機本体から灰皿を容易に取り外すことができず、かつ、灰皿が破損したような場合に灰皿を交換可能とするためには、例えば、灰皿本体にカバー部材をビス止めする必要があるが、意匠上は、ビス止め用のビスが遊技者側から見えないことが好ましい。
この際に、一般的には、例えば、灰皿の下面にビス止め位置を設けるが、本発明では、ビス止め位置を左右の側面とし、かつ、使用時には、支持部材と重なる位置として隠されるようにしているので意匠性を向上することができる。
また、使用位置から廃棄位置側に灰皿を回転する際、すなわち、例えば灰皿を水平な状態から垂直な状態とした場合に、灰皿の外側面の支持部材から露出する位置にビス止め用のビス孔が形成されているので、使用時に支持部材と重なる配置であっても、灰皿を回転することで、ビス孔を支持部材から露出されて、灰皿本体とカバー部材との取り付け、取り外し作業、すなわち、灰皿の取り付け、取り外し作業が可能となる。
【００１５】
請求項３に記載の発明は、請求項１または２に記載の遊技機において、
前記ピンを前記支持部材から前記灰皿側に向かって付勢する付勢手段を備え、
前記回転規制長穴および回転不可穴とのうちの一方に挿入される前記ピンの先端部は、前記回転規制長穴の幅および前記回転不可穴の径より短い径から長い径まで、先端から後方に向かうにつれて径が拡大するように略円錐状に形成されていることを特徴とする。
【００１６】
請求項３記載の発明によれば、回転規制長穴および回転不可穴に挿入されるピンの先端部が略円錐状（例えば、円錐台状）となっているとともに、その先端部の径が前記回転規制長穴の幅および前記回転不可穴の径より短い径から長い径まで変化するので、前記回転規制長穴の幅および前記回転不可穴の径と同じ長さの径となる部分まで、ピンの先端部が回転規制長穴もしくは回転不可穴に挿入されることになり、かつ、ピンの外周は必ず回転規制長穴の両サイドとなる縁と回転規制長穴の外周となる縁に接触し、灰皿を、付勢されたピンがその付勢力で押え付けた状態となり、使用時、使用位置と廃棄位置との間での回転の際、不使用時のそれぞれの時において、灰皿のがたつきを確実に防止できる。
【発明の効果】
【００１７】
本発明の遊技機のよれば、不使用状態の灰皿の意匠性を向上することができ、かつ、遊技者による不使用状態から使用状態への変換を防止することができる。
【発明を実施するための最良の形態】
【００１８】
以下、図面を参照して、遊技機設置営業店等の場所に設置され、遊技媒体（例えば、遊技球やメダル等）の供給に基づいて遊技者に遊技を行わせる遊技機（例えば、弾球遊技機としてのパチンコ遊技機）の構成及び動作について説明する。
【００１９】
図１に示すパチンコ遊技機１は、後述の灰皿７およびその取付構造を除いて全体としては各種パチンコ機としての一般的な基本構成を有するもので、図示しないが矩形枠状で島設備に取り付けられる機枠と、機枠に扉状に開閉自在に取り付けられ、遊技盤が収容される収容部を備えた前面枠と、前面枠の前側に扉状に開閉自在に取り付けられたガラス枠２と、前面枠の下部に着脱自在に取り付けれ、ガラス枠２の下側の前面を構成する下部前面パネル３とを備えている。
【００２０】
ガラス枠２には、遊技盤の遊技球が流下する遊技領域を視認可能とするように開閉自在に透明板（二重ガラス）４が嵌め込まれている。また、前面枠のガラス枠２より下側の下部前面パネル３には、その中央の上部に遊技球を貯留するとともに前記遊技領域に遊技球を発射する発射装置に遊技球を供給する受皿５が備えられ、向かって右端側に回転式操作ハンドル６が備えられ、向かって左端側に灰皿７が備えられている。
また、受皿５上部の遊技者側となる前部には、貸球の払い出し等の操作を行うための操作部８が設けられている。
【００２１】
前記受皿５より左側の灰皿７が設けられる部分は、下部前面パネル３に対して上部が下側に倒れるように回動して開放可能なサイドパネル９が設けられている。
サイドパネル９には、灰皿７とともに遊技の演出で用いられ、遊技者が操作する演出ボタン１０や、受皿５内の遊技球を排出させるための排出スイッチ１１等が設けられている。
【００２２】
なお、この例においては、前面枠に着脱自在な下部前面パネル３に対してサイドパネル９が下部の水平な軸周りに回転して開閉する構造となっているが、例えば、下部前面パネル３全体もしくはサイドパネル９部分を含む一部が例えば垂直若しくは水平な軸周りに回転して開閉自在となっていてもよい。すなわち、パチンコ遊技機１の下部の前面を構成し、前記灰皿７を有する部分が開放可能で、灰皿７の灰皿取付部の裏面側を露出可能な構成となっていればよい。また、パチンコ遊技機１の前面を構成する部材（たとえば、この例ではサイドパネル９）を開放する構成において、周知のように開放に際しては鍵により施錠を解錠する必要がある構成となっていることが好ましい。
【００２３】
次に、本発明に係る灰皿７とそれを支持するサイドパネル９とについて説明する。
図２および図３に示すように、パチンコ遊技機１は、内部空間２１に連通した開口部２２を有する容器状の灰皿７と、パチンコ遊技機１本体前面に設けられ、灰皿７を前側に望む灰皿取付部５１と、この灰皿取付部５１の左右からそれぞれ前方に延出し、灰皿７を間に挟んだ状態で灰皿７を支持する一対の支持部材５２，５３とを備える。
そして、一対の支持部材５２，５３は、灰皿７を開口部２２を上に向けた使用位置（図２，３，４に図示）と、開口部２２を斜め下に向けた廃棄位置（図５に図示）との間で、パチンコ遊技機１本体前面に沿って水平な回転軸回りに回転自在に支持している。
【００２４】
なお、パチンコ遊技機１本体前面の灰皿７が取り付けられる部分が前記サイドパネル９となり、サイドパネル９のほぼ前面を向いて平坦な部分に灰皿取付部５１が形成されている。また、灰皿取付部５１の上部には、上述の演出ボタン１０が取り付けられる演出操作部１４とされている。
また、サイドパネル９は、パチンコ遊技機１の左端に設けられているので、灰皿取付部５１の左側は、パチンコ遊技機１前部の側面１５となる。灰皿取付部５１の右側は、受皿５の左側を覆う受皿左カバー１６となっており、この受皿左カバー１６に前記排出スイッチ１１が配置されている。
なお、図３は、図２に示すサイドパネル９から着脱可能な演出操作部１４と、受皿左カバー１６とを取り外した状態である。
【００２５】
前記灰皿７は、図４〜１０に示すように、内部空間２１に連通する開口部２２を有する容器状の灰皿本体２３と、灰皿本体２３の左右側面および下面の前部（少なくとも左右側面の一部）および前面（上端部を除く前面）を覆う前部カバー２４とからなる。
灰皿本体２３の前部カバー２４に覆われる前部は、外部に露出する後部よりも肉厚が薄く形成され、後部の外面より前部の外面が一段凹んだ状態となっている。そして、後部と前部との境目に段差が形成され、この段差部分で灰皿本体２３と前部カバー２４が接合され、接合部において、灰皿本体２３の外周面と、前部カバー２４の外周面との間に段差が無い面一の形状とされ、外観上灰皿本体２３と前部カバー２４との接合部が視認しづらい形状とされ、ほぼ一体に見えるようになっている。また、灰皿本体２３の前部の外面と、前部カバー２４の内面とが当接した状態となっている。
【００２６】
前部カバー２４の左右の側壁部の後端部には、それぞれ、支持部材５２，５３に設けられた軸部５４，５４が挿入されて当該軸部５４，５４に対して灰皿７を回転自在とする軸受としての軸受部２５，２５が形成されている。この軸受部２５，２５は、後部が開放された切り欠き状のものとなっており、前部カバー２４を灰皿本体２３に接合した際に、灰皿本体２３の左右側部の前部カバー２４の軸受部２５に対応して形成された閉塞部２６により、軸受部２５の開放部分が閉塞されて孔状の構造となる。すなわち、前部カバー２４（カバー部材）と灰皿本体２３とのうちの少なくとも一方には、灰皿本体２３に前部カバー２４を取り付けることで、前記軸受穴を形成する切欠部が設けらていることになる。なお、左右の軸部５４，５４が同軸上に配置され、左右の軸受部２５，２５も同軸上に配置されている。
【００２７】
これにより、左右の支持部材５２，５３の互いに対向する内側面から内側に向かって突出する左右の軸部５４，５４を前部カバー２４の軸受部２５にその開放部分から挿入した状態で前部カバー２４と灰皿本体２３とを接合することで、灰皿７を左右の支持部材５２，５３の間に軸支した状態とできる。以上のことから灰皿７の左右外側面のそれぞれに、軸部５４が挿入されて軸受となる軸受穴（軸受部２５）が設けられている。
また、前部カバー２４において、軸受部２５となる切欠部は、表裏に貫通した状態となっているが、前部カバー２４を灰皿本体２３に取り付けることで、奥側が閉塞した状態となっている。
【００２８】
ここで、従来の灰皿においては、灰皿本体の下部に下部カバーが取り付けられ、灰皿本体と下部カバーが灰皿の底部でビスにより締結され、灰皿の下面にビスの頭部が露出した状態とされていた。
それに対して、本発明の灰皿７においては、上述のように灰皿本体２３の前部に前部カバー２４が取り付けられる構成とされており、この前部カバー２４と灰皿本体２３とは、灰皿７の左右の側部でビス止めされるようになっており、前部カバー２４の左右側面の前部の下部には、ビスを貫通するビス孔３２が設けられている。また、ビス孔３２の周囲が座ぐりされ、ビスが左右に突出して支持部材５２，５３の内側面に接触するのを防止している。
【００２９】
また、灰皿本体２３には、ビス（タッピングビス）用の下穴３３が、前部カバー２４のビス孔３２に対応して設けられ、ビスをねじ込むようになっている。なお、下穴３３は、灰皿本体２３の下方に向かって開放した切欠部状に形成されている。
そして、灰皿本体２３と前部カバー２４とを、上述のように灰皿７の左右側面の軸受部２５に左右一対の支持部材５２，５３の互いに対向する内側面からそれぞれ灰皿７側に突出する軸部５４，５４を挿入するように接合した場合に、ビス孔３２が支持部材５２，５３に隠れるようになっており、ビスおよびビス孔３２により、灰皿７の見栄えが悪くなるのが防止される。なお、後述のように不使用状態としてもビスおよびビス孔３２が支持部材５２，５３に隠されるので、不使用状態の美観がビスおよびビス孔３２で損なわれるのを防止することができる。
【００３０】
すなわち、従来のように灰皿７を上下逆にして不使用状態とした際に底面のビスおよびビス孔３２が露出するようなことがない。
また、灰皿７の取付、取外しに際して、ビスを操作する必要がある場合には、灰皿７を９０度前後回転することで、灰皿７前部にあるビス孔３２が露出し、ビスの操作が可能となる。すなわち、灰皿７を使用位置から廃棄位置側に向けて回転した際に、灰皿７の前記外側面の支持部材５２，５３から露出する位置に、灰皿本体２３と前部カバー２４を接合するためのビス孔３２が形成されていることになる。
【００３１】
灰皿７の左右外側面のうちの少なくとも一方の側面（この例では向かって右側の側面）には、軸受部２５を中心とする円弧状の回転規制長穴２７と、当該回転規制長穴２７の円弧の延長線上に配置される回転不可穴２８とが設けられている。この回転規制長穴２７は、灰皿７の前部カバー２４に貫通孔として形成されているが、灰皿本体２３に前部カバー２４を取り付けることで、奥側が閉塞された状態となっている。また、回転規制長穴２７は、上記軸受部２５より前側で、かつ、１８０度より狭い範囲、より正確には約１６０度以下の範囲となっている。また、９０度より広い範囲で、より正確には１２５度より広い範囲となっている。
【００３２】
そして、回転規制長穴２７には、向かって右側の支持部材５３の内側面から灰皿７の回転規制長穴２７に向かって出没自在な後述のＬ字ピン３０の先端部が挿入される。Ｌ字ピン３０は、その先端部の軸方向が軸部５４の軸方向と平行に配置されている。そして、Ｌ字ピン３０は、その先端部の軸方向に沿って出没自在だが、先端部の軸方向以外の方向として先端部の軸方向と直交する方向に対しては、移動不可となっており、軸受部２５に軸部５４が挿入され、回転規制長穴２７にＬ字ピンの先端部が挿入された状態では、灰皿７は、回転規制長穴２７の角度範囲内で回転可能に規制される。
【００３３】
すなわち、使用可能な状態の灰皿７は、開口部２２が上を向いて全体が略水平か前側が少し低くなるように僅かに傾いた使用位置から、前部を下方に移動させるように回転させて、開口部２２を斜め下を向けた廃棄位置まで回転可能とされている。そして、使用位置から灰皿７の前部を上方に移動させる回転が規制されるとともに、廃棄位置まで回転した後にさらに使用位置から廃棄位置までの回転方向と同方向（正方向）に回転させることが規制された状態となっている。
【００３４】
また、回転不可穴２８は、前部カバー２４の軸受部２５の真上に、軸受部２５と同様に後ろ側に開放し、かつ、表裏で貫通した切欠部として形成されている。そして、前部カバー２４を灰皿本体２３に取り付けることで、切欠部である回転不可穴２８の裏側と後ろ側が灰皿本体２３により閉塞され、有底の穴状となる。
そして、上述のように灰皿７に向かって出没自在なＬ字ピン３０を先端部が回転規制長穴２７に挿入された状態から、先端部が支持部材５３側に没した状態として、灰皿７の回転規制を解除した後に、灰皿７を廃棄位置からさらに回転させて、開口部２２が真下を向いた不使用位置とする。この際に、回転不可穴２８とＬ字ピン３０の先端部の位置が一致することになり、回転不可穴２８にＬ字ピン３０の先端部を挿入可能となる。
【００３５】
そして、回転不可穴２８にＬ字ピン３０を挿入することで、回転不可穴２８にＬ字ピン３０の先端部を挿入できるだけのスペースしかないことから、灰皿７が開口部２２を真下に向けた不使用位置で回転不可に固定された状態となる。この状態では、使用位置に対して灰皿７は上下が逆でかつ前後が逆となる。
【００３６】
ここで、従来の灰皿では、使用位置と廃棄位置との間で回転可能な状態で、灰が入った灰皿が使用位置から廃棄位置に簡単に移動してしまわないように、灰皿の背面に形成されて灰皿取付部と係合する係合部材が設けられており、前後を逆にすると、この係合部材が遊技者側を向いてしまい、不使用位置の灰皿の美観を損なうが、本発明は、使用位置および不使用位置において、支持部材５２，５３に隠された状態となる灰皿７の左右外側面に、灰皿７を使用位置に保持するための係合突起３５が形成され、この係合突起３５によって灰皿７の美観が損なわれないようになっている。また、係合突起３５は、灰皿７の回転範囲を使用位置と不使用位置と間となる範囲に規制するようになっている。
【００３７】
なお、上述の回転規制長穴２７および回転不可穴２８とＬ字ピン３０による回転規制は、Ｌ字ピン３０の先端部の挿入を解除すると、灰皿７がフリーで回転してしまい、Ｌ字ピン３０の挿入が困難になる可能性があるが、係合突起３５に規制されることで、灰皿７を少なくとも使用位置と、不使用位置に位置決めできて、回転規制長穴２７および回転不可穴２８へのＬ字ピン３０の先端部の挿入が容易となる。
【００３８】
灰皿７の係合突起３５は、灰皿７の左右外側面の後部の下部に形成されている。また、係合突起３５は、左右に長く延在し、上下幅が短い形状となっている。
一方の左右の支持部材５２，５３の内側面には、それぞれ、図１１に示すように、前記係合突起３５が係合する使用位置規制突起６１、使用位置保持突起６２、不使用位置規制突起６３が設けられている。
【００３９】
使用位置規制突起６１は、支持部材５２，５３の内側面の軸部５４より後方の斜め下側に配置され、使用位置にある灰皿７の係合突起３５と係合することで、灰皿７が使用位置から廃棄位置（不使用位置）側への回転と反対となる逆回転を防止するものである。使用位置規制突起６１は、係合突起３５と同様に左右に長く上下幅が短いものとなって略水平に配置されている。そして、使用位置のほぼ水平となった係合突起３５に上下に隣接して配置されること、すなわち、使用位置規制突起６１の上に載った状態に係合突起３５が配置されることで、係合突起３５の下方への移動が規制され、灰皿７の逆回転が規制される。
この使用位置規制突起６１は、合成樹脂製の支持部材５２，５３、使用位置規制突起６１、灰皿７、係合突起３５等が弾性変形しても使用位置規制突起６１と係合突起３５の係合が解除しないようになっており、基本的に灰皿７は、使用位置から逆回転することが禁止された状態となる。
【００４０】
また、使用位置保持突起６２は、係合突起３５と同様に左右に長く上下幅が短いものとなって略水平に配置されている。そして、使用位置のほぼ水平となった係合突起３５に上下に隣接して配置されること、すなわち、使用位置保持突起６２の下に係合突起３５が配置されることで、係合突起３５の上方への移動が規制され、灰皿７の使用位置から廃棄位置に向かう正転が規制される。
【００４１】
使用位置の灰皿７の係合突起３５は、下の使用位置規制突起６１とその直上に配置された使用位置保持突起６２とから上下に挟まれた状態となっており、これにより使用位置の灰皿７の逆回転と正回転との両方が規制され灰皿７が使用位置に固定された状態となる。
しかし、使用位置保持突起６２は、使用位置規制突起６１の上下方向の断面が矩形状なのに対して、円弧状の断面となっているとともに、使用位置保持突起６２の突出長さが使用位置規制突起６１より少ないことから、各部材の弾性変形により使用位置保持突起６２を係合突起３５が乗り越えることが可能となっており、灰皿７の前部を強く下側に押すと、灰皿７が使用位置から廃棄位置に正回転するようになっている。
また、上述のように使用位置規制突起６１と使用位置保持突起６２との間に係合突起３５を挟まれて使用位置に固定された灰皿７においては、回転規制長穴２７にＬ字ピン３０の先端部を容易に挿入することができる。
【００４２】
以上のことから、所定量の外力を加えると灰皿７は使用位置から廃棄位置に回転開始し、灰皿７の開口部を下に向けて灰皿７内の灰等を廃棄可能となっている。
不使用位置規制突起６３は、支持部材５２，５３の内側面の軸部より前方の斜め上方に配置され、使用位置規制突起６１と同様の形状をしている。そして、不使用位置規制突起６３には、不使用位置にある灰皿７の係合突起３５が上側に隣接して配置され、不使用位置から灰皿７がさらに上述の正転方向に回転するのを規制するようになっている。
そして、灰皿７を正転方向に回転させて灰皿７の係合突起３５が不使用位置規制突起６３に当接して灰皿７の回転が停止した状態で、灰皿７の回転不可穴２８に容易にＬ字ピン３０の先端部を挿入できるようになっている。
【００４３】
前記Ｌ字ピン３０は、図６に示すように、Ｌ字状に曲がった概略円柱状のピンであり、軸部５４の軸方向と平行に配置されるピン本体３６と、ピン本体３６の後端部で直角に曲げられた操作軸３７とからなっている。
また、Ｌ字ピン３０（ピン本体３６）の先端部には回転規制長穴２７および回転不可穴２８に挿入される挿入部３８が形成されている。
【００４４】
挿入部３８は、円錐台状に形成されている。そして、挿入部３８は、その円錐台状の外径が回転規制長穴２７の幅および回転不可穴２８の径より短い部分から長い部分まで含むものとなっており、少なくとも回転規制長穴２７および回転不可穴２８の開口部に当接する形状となっている。なお、回転規制長穴２７および回転不可穴２８の開口部の周縁は、円錐台状の挿入部３８の円錐台状の斜面の角度と同じ角度で面取りされた状態となっており、回転規制長穴２７および回転不可穴２８の開口部の内周面と、挿入部３８の外周面が面接触し易い形状となっている。
【００４５】
すなわち、回転規制長穴２７および回転不可穴２８とのうちの一方に挿入されるＬ字ピン３０の先端部は、回転規制長穴２７の幅および前記回転不可穴２８の径より短い径から長い径まで、先端から後方に向かうにつれて径が拡大するように略円錐状に形成されている。
また、ピン本体３６の先端部と後端部とのほぼ中央（僅かに先端部より）には、ピン本体３６の外周を一周する溝３９が形成され、この溝３９に図示しない止め輪が取り付けられるようになっている。この止め輪は、後述するようにピン本体３６を支持部材５３側から灰皿７側に付勢する付勢手段としてのコイルバネ（圧縮バネ）の前端部を止めるためのものである。
【００４６】
前記右側の支持部材５３の裏面には、Ｌ字ピン３０を軸部５４の軸方向に移動自在に支持するピン支持部４１が設けられている。
ピン支持部４１は、図１１に示すように、支持部材５３の内側面を形成する板部材の軸部５４の下方（真下）に設けられてピン本体３６が挿通する挿通孔４２と、挿通孔４２の左右に設けられたボス４３，４３と、図３に示すように、ボス４３，４３により前記内側面を形成する板部材に対して間隔をあけて取り付けられる取付板４５と、取付板４５の中央に形成された図示しない挿通孔と、当該挿通孔を囲むように取付板４５に形成されるとともに、取付板４５から後方側（内側面を形成する板体の反対側、すなわち、灰皿の反対側）に突出する案内筒４６とを備えている。
【００４７】
案内筒４６は、取付板４５の挿通孔に連通しているとともに、Ｌ字ピン３０が前後動自在に挿入されるものであるが、Ｌ字ピン３０の操作軸３７が通過可能なスリット４７を有するものとなっており、操作軸３７は、取付板４５の裏面に当接する位置から案内筒４６の後端を越えて移動可能となっている。なお、ピン本体３６の溝３９に取り付けられる止め輪と、止め輪と取付板４５との間でピン本体３６の周囲に配置されるコイルバネとにより、Ｌ字ピン３０が取付板４５および案内筒４６から抜け落ちることはないようになっている。
【００４８】
そして、Ｌ字ピン３０のピン本体３６を取付板４５の挿通孔および案内筒４６内に挿入した状態で、ピン本体３６を図示しないコイルバネ内に挿入し、次いで、コイルバネを溝３９より後方側、すなわち、取付板４５側に配置した状態で、溝３９に止め輪を取り付ける。
これにより、止め輪と取付板４５との間にコイルバネが取り付けられた状態となる。
次いで取付板４５を２本のボス４３，４３を介して支持部材５３の内側面の裏面側に取り付ける。これにより、Ｌ字ピン３０のピン本体３６は、軸部５４の軸方向に沿って灰皿側に付勢される。すなわち、コイルバネがＬ字ピン３０を支持部材５３から灰皿７側に向かって付勢する付勢手段として機能する。
【００４９】
そして、Ｌ字ピン３０の操作軸３７を操作して、操作軸３７を案内筒４６のスリット４７の位置に合わせると、操作軸３７が案内筒４６の部分を前後動自在となり、コイルバネの付勢力により、Ｌ字ピン３０が灰皿７に向かって移動する。この場合に、灰皿７の回転規制長穴２７もしくは回転不可穴２８の位置がピン本体３６の突出位置と合っている場合に、ピン本体３６の先端部の挿入部３８が回転規制長穴２７もしくは回転不可穴２８のいずれかに挿入されるとともに、回転規制長穴２７もしくは回転不可穴２８の開口部に円錐台状の挿入部３８の外周面がコイルバネの付勢力により押し付けられるようになっている。
【００５０】
また、コイルバネにより灰皿７側（前側）に付勢されているＬ字ピン３０の操作軸３７を、スリット４７に沿って案内筒４６の後方に移動し、次いで操作軸３７を傾けて案内筒４６後端に引っ掛けることで、Ｌ字ピン３０を灰皿７から離した位置に保持することができる。
なお、灰皿７の前部の上部には、タバコを載置するためにタバコの断面に近い形状で切り欠かれたタバコ置き凹部４９が形成されている。
【００５１】
以上のようなパチンコ遊技機１の組立方法および作用を説明する。
まず、組立においては、上述のように一方の支持部材５３の裏面側にＬ字ピン３０を取り付ける。そして、Ｌ字ピン３０の操作軸３７を案内筒４６の後端に引っ掛けた状態としてピン本体３６をその先端部が灰皿７側に突出せずに支持部材５３側に後退した状態とする。
【００５２】
次に、図８に示すように、灰皿７が、灰皿本体２３と、前部カバー２４とに分離した状態で、左右の支持部材５２，５３の下側に前部カバー２４をその後部を上に向けて配置し、左右の支持部材５２，５３の上側に灰皿本体２３をその前部を下に向けて配置する。
次に、図９に示すように前部カバー２４を上方に移動し、後部側が開放した状態の左右の軸受部２５に、上側から左右の支持部材５２，５３の軸部５４が挿入された状態とする。
【００５３】
次に、図１０に示すように、左右の軸受部２５に、軸部５４を挿入した状態で、前部カバー２４内に灰皿本体２３の前部を挿入して、前部カバー２４と灰皿本体２３との位置を正しく合わせて一体の状態とする。次に、図１２に示すように、灰皿本体２３と前部カバー２４とを一体とした灰皿７を、灰皿７の前部カバー２４のビス孔３２が露出する位置で止め、ビスをビス孔３２に挿入してねじ込むことで、ビスにより灰皿本体２３と前部カバー２４とを一体に接合した状態とする。
【００５４】
ビスおよびビス孔３２が灰皿７の左右外側面にあるので、使用位置および使用位置からほぼ１８０度回転した不使用位置では、ビスおよびビス孔３２が左右の支持部材５２，５３に隠され、灰皿７の美観が損なわれることがない。
次に、灰皿７を使用位置とし、灰皿７の左右外側面のそれぞれに設けられた係合突起３５を、左右の支持部材５２，５３の内側面に形成された使用位置規制突起６１と使用位置保持突起６２との間に配置した状態とする。
【００５５】
この状態で、前記Ｌ字ピン３０の操作軸３７をピン支持部４１の案内筒４６の後端に係止された状態から案内筒４６のスリット４７の位置に回転する。これにより、操作軸３７がスリット４７で前進可能となり、コイルバネの付勢力でＬ字ピン３０が前進し、ピン本体３６の先端部である挿入部３８が図４に示すように、回転規制長穴２７の下端部に挿入される。なお、ピン本体３６は、軸部５４のほぼ真下に配置され、軸受部２５のほぼ真下に回転規制長穴２７の下端部が配置される。
【００５６】
この状態で、灰皿７の前部を下方に押し下げるように力をかけると、灰皿７の左右外側面の係合突起３５と、左右の支持部材５２，５３の内側面に形成された使用位置保持突起６２との係合が解除され、灰皿７が図５に示す廃棄位置まで回転可能となる。なお、この際にＬ字ピン３０の挿入部３８は、回転規制長穴２７の上端部に配置される。
すなわち、回転規制長穴２７にＬ字ピン３０の挿入部３８が挿入された状態では、灰皿７の回転範囲が開口部２２をほぼ真上に向けた使用位置と、開口部２２を斜め下に向けた廃棄位置との間に規制される。
【００５７】
ここで、使用位置および廃棄位置までの回転範囲から、不使用位置とする際の方法を説明する。すなわち、図４から図５に示すように、灰皿７が回転規制長穴２７にＬ字ピン３０の挿入部３８が挿入されて使用位置から廃棄位置に回転可能な状態となっているものとする。なお、パチンコ遊技機１の製造時で、上述のように灰皿７が左右の支持部材５２，５３の軸部に固定された段階であってもよい。
【００５８】
そして、図６に示すように、Ｌ字ピン３０を操作軸３７を操作して後退させ、かつ、操作軸３７をピン本体３６の軸周りに回転させて、案内筒４６の後端に係止させることで、ピン本体３６を後退させて、灰皿７から挿入部３８が離間した状態とする。
なお、上述の製造時の段階でもこの状態となっている。
次に、灰皿７を使用位置から廃棄位置に向かう正回転方向に回転させる。そして、灰皿７を使用位置から約１８０度回転すると、灰皿７の左右外側面のそれぞれに形成された係合突起３５が、左右の支持部材５２，５３のそれぞれの内側面に形成された不使用位置突起に当接して、それ以上正方向に回転できない状態となる。
【００５９】
この状態では、図７に示すように、回転不可穴２８の位置がＬ字ピン３０のピン本体３６の延長線上となり、上述のように後退中のＬ字ピン３０が、操作軸３７を案内筒４６のスリット４７の位置合わせることで、コイルバネの付勢力により前進し、先端部の挿入部３８が回転不可穴２８に挿入される。この状態では、回転不可穴２８が挿入部３８とほぼ同じ径なので、灰皿７は回転できない状態となり、不使用位置に固定される。
【００６０】
なお、以上のようなＬ字ピン３０の操作軸３７の操作は、支持部材５３の裏面側での操作となり、例えば、サイドパネル９や下部前面パネル３を開放しないと不可能となる。
したがって、サイドパネル９や下部前面パネル３を開放すること、すなわち、パチンコ遊技機１の施錠を解錠することができない遊技者には、使用位置から廃棄位置に回転可能な使用状態の灰皿７を不使用位置に回転させて固定したり、不使用位置で固定された灰皿を使用状態に移行させたりすることは不可能である。
【００６１】
したがって、遊技者が不使用位置の灰皿７を無理やり動かして使用状態にするようないたずらを防止することができる。
また、使用位置への保持、回転範囲の規制、回転の規制は、全て灰皿７の左右外側面と、左右の支持部材５２，５３の内側面に設けられるか取り付けられている部材（係合突起３５、回転規制長穴２７、回転不可穴２８、Ｌ字ピン３０、使用位置規制突起６１、使用位置保持突起６２、不使用位置規制突起６３等）で行われるので、これらの部材は、灰皿７が使用位置および不使用位置にある場合には、遊技者から視認困難な位置にあり、使用位置であっても、不使用位置であっても、これらの部材が灰皿７しいてはパチンコ遊技機１の美観を損ねることがない。
【００６２】
また、左右から突出し、かつ、灰皿７の左右間隔より狭い幅で配置された軸部５４，５４に灰皿７を取り付けるために、灰皿７を２つに分割した構成において、灰皿７を構成する２つの分割した部材を灰皿本体２３と前部カバー２４とし、かつ、これらを固定するためのビスの取付位置を灰皿７の左右外側面としたことで、使用位置および不使用位置にある灰皿７の前記ビス等は、左右の支持部材５２，５３に隠されて遊技者に視認できない状態となっている。これにより、例えば、灰皿の下面にビスの頭等が露出することで、灰皿を裏返して不使用位置とした場合に、灰皿の美観が損なわれるような事態を防止することができる。
【００６３】
また、Ｌ字ピン３０の挿入部３８が円錐台状で、かつ、回転規制長穴２７および回転不可穴２８の幅や径より小さな径から大きな径までを含む状態となっているので、挿入部３８は、回転不可穴２８に挿入された際に、全周に渡って回転不可穴２８の開口部に接するとともに、コイルバネにより回転不可穴２８に押し付けられ、不使用状態で灰皿７ががたつくのを防止することができる。
また、回転規制長穴２７に挿入部３８が挿入された状態では、回転規制長穴２７の開口部の左右側縁部に常に挿入部３８が接触した状態とされ、かつ、灰皿７が使用位置と廃棄地位置との間を回転する際にも、挿入部３８が回転規制長穴の左右側縁部に接触した状態となり、これにより、灰皿７ががたつくことなく円滑に回転可能となっている。
【００６４】
この実施形態では、パチンコ遊技機１を例としてあげたが、本発明は、灰皿を有する全ての遊技機に適用可能であり、パチンコ遊技機１を含む各種弾球遊技機や、パチスロを含むスロットマシンといった回胴式遊技機にも適用可能である。
【００６５】
以上、本発明者によってなされた発明を適用した実施の形態について説明したが、この実施の形態による本発明の開示の一部をなす論述及び図面により本発明は限定されることはない。すなわち、この実施の形態に基づいて当業者等によりなされる他の実施の形態、実施例及び運用技術等は全て本発明の範疇に含まれることは勿論であることを付け加えておく。
【図面の簡単な説明】
【００６６】
【図１】本発明の実施の形態に係るパチンコ遊技機を示す正面図である。
【図２】前記パチンコ遊技機の灰皿取付部、左右の支持部材、灰皿が設けられたサイドパネルを示す正面図である。
【図３】前記左右の支持部材および灰皿を備え、かつ、Ｌ字ピンが取り付けられた灰皿取付部を示す斜視図である。
【図４】前記灰皿の回転角度とＬ字ピンの関係を説明するための灰皿とＬ字ピンとを示す斜視図である。
【図５】前記灰皿の回転角度とＬ字ピンの関係を説明するための灰皿とＬ字ピンとを示す斜視図である。
【図６】前記灰皿の回転角度とＬ字ピンの関係を説明するための灰皿とＬ字ピンとを示す斜視図である。
【図７】前記灰皿の回転角度とＬ字ピンの関係を説明するための灰皿とＬ字ピンとを示す斜視図である。
【図８】前記支持部材への灰皿の取付方法を説明するための支持部材を有する灰皿取付部と灰皿を構成する灰皿本体および前部カバーとを示す斜視図である。
【図９】前記支持部材への灰皿の取付方法を説明するための支持部材を有する灰皿取付部と灰皿を構成する灰皿本体および前部カバーとを示す正面図および灰皿取付部の一部を切り欠いた側面図である。
【図１０】前記支持部材への灰皿の取付方法を説明するための支持部材を有する灰皿取付部と灰皿を構成する灰皿本体および前部カバーとを示す正面図および灰皿取付部の一部を切り欠いた側面図である。
【図１１】前記支持部材を有する取付部を示す斜視図である。
【図１２】前記灰皿が取り付けられた支持部材を有する取付部を示し、灰皿を回転した状態の斜視図である。
【符号の説明】
【００６７】
１        パチンコ遊技機（遊技機）
７        灰皿
２１      内部空間
２２      開口部
２３      灰皿本体
２４      前部カバー（カバー部材）
２５      軸受部（切欠部、軸受穴）
２７      回転規制長穴
２８      回転不可穴
３０      Ｌ字ピン（ピン）
３２      ビス孔
３８      挿入部（ピンの先端部）
５１      灰皿取付部
５２      支持部材
５３      支持部材
５４      軸部
【図１】
2008136708.tif 000003
【図２】
2008136708.tif 000004
【図３】
2008136708.tif 000005
【図４】
2008136708.tif 000006
【図５】
2008136708.tif 000007
【図６】
2008136708.tif 000008
【図７】
2008136708.tif 000009
【図８】
2008136708.tif 000010
【図９】
2008136708.tif 000011
【図１０】
2008136708.tif 000012
【図１１】
2008136708.tif 000013
【図１２】
2008136708.tif 000014